(57)【要約】【課題】  ユーザーが主筐体に近接している場合より優れた音響品質を認識できると思われる、主筐体から離れた位置で音響再生システムを聞く動機づけを、音響再生システムのユーザーに、与えることにある。【解決手段】  少なくともラジオ及び左右のラウドスピーカーを主筐体１３内に有する音響再生システムには、少なくともマニュアル選択式の音量及びチューニング制御部が含まれない。リモートコントローラ１４には、少なくともマニュアル選択式の音量及びチューニング制御部が含まれる。【選択図】  図２
2005328539.tif 000002
【特許請求の範囲】
【請求項１】
少なくともリモートコントロール式ラジオと左右のラウドスピーカーとを主筐体内に有する音響再生装置であって、
リモートコントローラは、少なくとも音量及びラジオのチューニングを制御するように構成されたマニュアル選択式制御部を含み、
前記主筐体は、少なくとも音量及びチューニングを制御するように構成されたマニュアル選択式制御部を含まないことを特徴とする音響再生装置。
【請求項２】
前記主筐体は一切のマニュアル選択式制御部を含まず、
前記リモートコントローラは、前記ラジオのすべてのマニュアル式制御可能パラメーターを制御するように構成されたすべてのマニュアル選択式制御部を含むことを特徴とする請求項１に記載の音響再生装置。
【請求項３】
前記主筐体は更にＣＤプレイヤを包含し、
前記リモートコントローラは、更に、少なくとも、再生／一時停止と停止／取出しとを制御するように構成されたマニュアル選択式制御部を含み、
前記主筐体は、再生／一時停止と停止／取出しとを制御するように構成されたマニュアル選択式制御部を含まないことを特徴とする請求項１に記載の音響再生装置。
【請求項４】
前記主筐体は一切のマニュアル選択式制御部を含まず、
前記リモートコントローラは、前記ＣＤプレイヤのすべての機能を操作可能にも構成されたマニュアル選択式制御部を含むことを特徴とする請求項３に記載の音響再生装置。
【請求項５】
開示された装置及び技術中に存在し又は含まれ得る、それぞれすべての特徴、及び、その特徴の新規な組み合わせ。
【発明の詳細な説明】
【技術分野】
【０００１】
本発明は、概してリモートコントロール式音響再生に関し、詳細には、筐体内に収納された形態のリモートコントロール式音響システム、しかも、少なくともラジオを備え、且つＣＤプレイヤを含んでいてもよく、更に、少なくとも、音量調節セレクタ、チューニングセレクタ、ＣＤ再生／一時停止セレクタ、及び、ＣＤトラック・セレクタを含まず、好ましくはすべてのマニュアル・セレクタを含まない、筐体収納型リモートコントロール式音響システムのための装置及び技術に関する。
【背景技術】
【０００２】
図１に示す、発売中のボーズ・ウエイブ・ラジオ／ＣＤ（ＢＯＳＥ（登録商標）  Ｗａｖｅ  Ｒａｄｉｏ／ＣＤ）機を参照する。
【発明の開示】
【発明が解決しようとする課題】
【０００３】
本発明の重要な目的は、ユーザーが音響再生システムの主筐体に近接している場合より優れた音響品質を認識できると思われる、該主筐体から離れた位置で音響再生システムを聞く動機づけを、音響再生システムのユーザーに、与えることにある。
【課題を解決するための手段】
【０００４】
本発明によれば、音響再生装置は左右のラウドスピーカー及びラジオを備える主筐体を有する。該主筐体は、少なくとも、音量及びラジオ局チューニングのためのマニュアル選択式制御部を含まない。主筐体内にＣＤプレイヤをさらに備える一実施形態では、更に、少なくとも、マニュアル選択式の再生／一時停止制御部、停止／取出制御部、トラック制御部をも含まない。主筐体から再生される音響を制御するすべてのマニュアル選択式制御部を備えたリモートコントローラ、典型的には赤外線リモートコントローラが利用される。好ましくは、前記主筐体は一切のマニュアル選択式制御部を含まない。
【０００５】
多数の他の特徴、目的及び利点は、以下の詳細な説明及び添付図面において明らかにされる。
【発明を実施するための最良の形態】
【０００６】
本発明に係るリモートコントロール式音響システムの実施形態について、図面を参照しつつ以下説明する。図１は、フロントグリル１１Ｆの背後に配設された左右のラウドスピーカーを備えたクロックラジオ及びＣＤプレイヤを備える主筐体１１を有する市販中のボーズ・ウエイブ・ラジオ／ＣＤ（ＢＯＳＥ（登録商標）  Ｗａｖｅ  Ｒａｄｉｏ／ＣＤ）機を示す斜視図である。トップパネル１１Ｔ上には、リモートコントローラ１２のものと同様のたくさんのマニュアル選択式制御部１１Ｃが形成されている。
【０００７】
図２は、本発明に係るマニュアル選択式制御部を一切含まないクロックラジオ／ＣＤ機の主筐体１３を示す斜視図である。この実施形態においては、フロントパネル１３Ｆに形成されたＣＤ出し入れ用のスロット１３Ｓを備えたＣＤプレイヤが更に含まれている。フロントグリル１１Ｆの背後には左右のラウドスピーカーが配設され、該スピーカーはアコースティック調ウェイブガイド・ラウドスピーカー・システムが好ましい。
【０００８】
図３は、図２のラジオ／ＣＤ機を制御するためのリモートコントローラを示す平面図である。リモートコントローラ１４は、各機能に対応したラベル表示がなされた２６個の感圧スイッチを含む。再生モードは、ＣＤのシャッフル再生モード及び繰り返し再生モードを選択する。アラーム・オン／オフ・スイッチはアラームをオン又はオフに切り替える。目覚ましスイッチは、アラーム機能として、ラジオ又はＣＤの再生を設定する。アラームタイム・スイッチは、一回押すとアラームタイム設定モードとなり、押した後少なくとも１秒間保持するとシステム設定モードとなる。タイム（−）及び（＋）スイッチは時刻を設定し、アラーム設定モードではアラーム時刻を設定する。シークスイッチは、強い信号を発している次のラジオ局を検出する。
【０００９】
チューン／トラック・スイッチは、記憶された次の又は前のラジオ周波数に、或いは、次の又は前のＣＤトラックにスキップさせる。プレイ／ポーズ（一時停止）・スイッチはＣＤを再生、又は、ＣＤの再生を一時停止させる。ストップ／イジェクト（取出し）・スイッチは、一回押すとＣＤ再生を停止し、再び押すと停止されたＣＤが排出される。プリセット・スイッチは、押した後保持すると、すばやい再起動のためにラジオ局を記憶し、一旦記憶した後に押すと記憶されたラジオ局が呼び出される。ＦＭ／ＡＭスイッチはラジオをオン状態にし、再び押すことによりＦＭとＡＭとの切替えを行う。ＣＤスイッチはＣＤプレイヤをオン状態にする。ＡＵＸスイッチは、押すと外部ソースからの音響を聞こえるようにする。オン／オフ・スイッチは、電源をオン又はオフにし、音声アラームを停止させる。スリープ・スイッチは、事前に決定された秒数の後に音声アラームを自動的に停止する単位を設定する。
【００１０】
本発明は、本出願の後、まもなく発売が予定されるボーズ・ウエイブ・ラジオ／ＣＤ  ＩＩ（ＢＯＳＥ（登録商標）  Ｗａｖｅ  Ｒａｄｉｏ／ＣＤ  ＩＩ）機において実施される。
【００１１】
本発明の重要な目的は、ラジオ／ＣＤ機の主筐体１３に近接している場合より優れた音響品質を認識できると思われる、主筐体１３から離れた位置で音響再生システム（ラジオ／ＣＤ機）を聞く動機づけを、該ラジオ／ＣＤ機のユーザーに、与えることにある。
【産業上の利用可能性】
【００１２】
当業者であれば、本発明の精神から逸脱することなしに、本明細書に開示された装置及び技術を多数利用できること、改良を加えること、並びに、該装置及び技術に基づき発展できることは明らかである。従って、本発明は、本明細書中に開示され、且つ、添付の特許請求の範囲に記載された各請求項の技術的範囲のみによって限定された装置及び技術に含まれる各々且つすべての新規な特徴及び新規なその組合せを包含していると解釈されるべきものである。
【図面の簡単な説明】
【００１３】
【図１】発売中のボーズ・ウエイブ・ラジオ／ＣＤ（ＢＯＳＥ（登録商標）  Ｗａｖｅ  Ｒａｄｉｏ／ＣＤ）機の外観を示す斜視図である。
【図２】本発明に係るマニュアル選択式制御部を一切含まないクロックラジオ／ＣＤ機の主筐体の外観を示す図である。
【図３】図２のラジオ／ＣＤ機を制御するためのリモートコントローラを示す平面図である。
【符号の説明】
【００１４】
１１、１３  主筐体
１１Ｃ  マニュアル選択式制御部
１１Ｆ  フロントグリル
１１Ｔ  トップパネル
１２、１４  リモートコントローラ
１３Ｆ  フロントパネル
１３Ｓ  スロット
【図１】
2005328539.tif 000003
【図２】
2005328539.tif 000004
【図３】
2005328539.tif 000005